(57)【要約】【課題】装置本体に複数の抵抗素子や選択回路を設けることなく、電池寿命と薬剤の持続時間とを対応させることができるようにすることで、装置を全体的にコンパクトにするとともに低コストにし、しかも、回路構成をシンプルにして製造工数の低減を図るとともに不具合が起こり難くする。【解決手段】カートリッジ３に、薬剤保持体２０と、電池２１の寿命が害虫防除成分の持続時間と対応するように該電池２１を消耗させるための抵抗素子２２とを設ける。抵抗素子２２は、カートリッジ３が装置本体へ装着された状態で、モーター及び電池２１と共に電気回路を構成する。【選択図】図６
2014195466.tif 000002
【特許請求の範囲】
【請求項１】
害虫防除成分を含む薬剤を保持した薬剤保持体と、
上記薬剤保持体に送風するためのファンと、
上記ファンを回転駆動するためのモーターと、
上記モーターに電力を供給する電池とを備え、
上記モーターで駆動された上記ファンにより上記薬剤保持体に送風して害虫防除成分を空気中に拡散させるように構成されたファン式害虫防除装置であって、
上記ファン及び上記モーターを収容するケーシングを有する装置本体と、
上記薬剤保持体及び上記電池を収容するとともに、上記装置本体に対し着脱可能に取り付けられるカートリッジとを備え、
上記カートリッジには、上記電池の寿命が害虫防除成分の持続時間と対応するように該電池を消耗させるための板状の抵抗素子が設けられ、該抵抗素子は、上記カートリッジの側壁部に対して該側壁部に沿って延びる姿勢で保持され、該抵抗素子の電気導通部が該側壁部に形成された切欠部から該カートリッジの外面に露出するように配置され、
上記ケーシングには、上記カートリッジが収容される凹部が該ケーシングの外面に開放するように形成され、上記ケーシングの凹部の内面における上記抵抗素子の電気導通部と対向する部位には、該抵抗素子の電気導通部と接触して導通状態となる装置本体側の電気導通部が配置され、
上記カートリッジが上記ケーシングの凹部に収容された状態で、上記抵抗素子の電気導通部と上記装置本体側の電気導通部が接触して導通し、上記抵抗素子は、上記モーター及び電池と共に電気回路を構成することを特徴とするファン式害虫防除装置。
【発明の詳細な説明】
【技術分野】
【０００１】
本発明は、ファンを内蔵した害虫防除装置に関するものである。
【背景技術】
【０００２】
従来から、この種の害虫防除装置として、害虫防除成分を含む薬剤を保持した薬剤保持体と、薬剤保持体が着脱可能にセットされる装置本体と備え、薬剤保持体の寿命が尽きたときに交換できるように構成されたものが知られている（例えば、特許文献１参照）。
【０００３】
特許文献１の装置本体には、ファン、ファンを駆動するモーター、及び電池が内蔵されている。そして、電池の電力によってモーターを作動させ、ファンにより薬剤保持体に送風して害虫防除成分を空気中に拡散させるようになっている。
【０００４】
また、特許文献１の装置本体は、電池の消耗度合いを変えるための２種類の抵抗素子と、これら抵抗素子のうち、１つを選択するためのスイッチが設けられた選択回路とを備えている。そして、薬剤の持続時間が短い短時間タイプの薬剤保持体が装置本体にセットされた場合には、その持続時間に対応するように電池を消耗させる抵抗素子を選択回路によって選択し、また、持続時間が長い長時間タイプの薬剤保持体が装置本体にセットされた場合には、その時間と対応するように電池を消耗させる抵抗素子を選択回路によって選択するようになっている。これにより、電池の寿命と害虫防除成分の持続時間とを略一致させることができ、例えば薬剤が無いのにファンだけが作動しているといった空運転を回避でき、ファンの作動中（装置の作動中）は常に害虫の防除能力を得ることができる。
【先行技術文献】
【特許文献】
【０００５】
【特許文献１】特開２００８−１４２０５４号公報
【発明の概要】
【発明が解決しようとする課題】
【０００６】
ところで、ファン式害虫防除装置はコンパクト化の要求が強く、特に、近年、需要が高まっている携帯型の装置ではその要求はより一層強いものとなる。
【０００７】
しかしながら、特許文献１の害虫防除装置では、装置本体に２種類の抵抗素子と、スイッチを有する選択回路とを内蔵しているので、害虫防除装置の大型化を招く。
【０００８】
また、上述のように害虫防除装置の作動時には、一方の抵抗素子のみを使用し、他方の抵抗素子は使用していない。よって、２種類の抵抗素子を装置本体に持たせておくことはコストの面で不利である。
【０００９】
さらに、２つの抵抗素子をスイッチで選択するように構成された選択回路は複雑であるため、製造工数が増大するとともに、不具合等が起こりやすくなることも考えられる。
【００１０】
本発明は、かかる点に鑑みてなされたものであり、その目的とするところは、電池を備えたファン式害虫防除装置において、装置本体に複数の抵抗素子や選択回路を設けることなく、電池寿命と薬剤の持続時間とを対応させることができるようにすることで、装置を全体的にコンパクトにするとともに低コストにし、しかも、回路構成をシンプルにして製造工数の低減を図るとともに不具合が起こり難くすることにある。
【課題を解決するための手段】
【００１１】
上記目的を達成するために、本発明では、装置本体に着脱可能に取り付けられるカートリッジに、薬剤保持体と、該薬剤保持体に対応した電池寿命とするための抵抗素子とを設け、この抵抗素子を利用して電気回路を構成するようにした。
【００１２】
第１の発明は、害虫防除成分を含む薬剤を保持した薬剤保持体と、上記薬剤保持体に送風するためのファンと、上記ファンを回転駆動するためのモーターと、上記モーターに電力を供給する電池とを備え、上記モーターで駆動された上記ファンにより上記薬剤保持体に送風して害虫防除成分を空気中に拡散させるように構成されたファン式害虫防除装置であって、上記ファン及び上記モーターを収容するケーシングを有する装置本体と、上記薬剤保持体及び上記電池を収容するとともに、上記装置本体に対し着脱可能に取り付けられるカートリッジとを備え、上記カートリッジには、上記電池の寿命が害虫防除成分の持続時間と対応するように該電池を消耗させるための板状の抵抗素子が設けられ、該抵抗素子は、上記カートリッジの側壁部に対して該側壁部に沿って延びる姿勢で保持され、該抵抗素子の電気導通部が該側壁部に形成された切欠部から該カートリッジの外面に露出するように配置され、上記ケーシングには、上記カートリッジが収容される凹部が該ケーシングの外面に開放するように形成され、上記ケーシングの凹部の内面における上記抵抗素子の電気導通部と対向する部位には、該抵抗素子の電気導通部と接触して導通状態となる装置本体側の電気導通部が配置され、上記カートリッジが上記ケーシングの凹部に収容された状態で、上記抵抗素子の電気導通部と上記装置本体側の電気導通部が接触して導通し、上記抵抗素子は、上記モーター及び電池と共に電気回路を構成することを特徴とするものである。
【００１３】
この構成によれば、カートリッジに、害虫防除成分の持続時間と対応するように電池を消耗させるための抵抗素子を設けたので、カートリッジを交換するだけで、そのカートリッジの薬剤保持体の持続時間に対応する電池寿命とすることが可能になる。従って、複数の抵抗素子や、抵抗素子を選択するためのスイッチを有する選択回路を設けることなく、電池の寿命を薬剤保持体の持続時間に対応した寿命として空運転が行われてしまうのを回避することが可能になる。
【発明の効果】
【００１４】
第１の発明によれば、薬剤保持体を有するカートリッジに、電池の寿命が害虫防除成分の持続時間と対応するように該電池を消耗させるための抵抗素子を設け、カートリッジの装着状態で、抵抗素子が電気回路を構成するようにしたので、複数の抵抗素子やスイッチを有する選択回路を設けることなく、電池寿命を薬剤保持体の持続時間に対応した寿命とすることができる。これにより、害虫防除装置を全体的にコンパクトにできるとともに低コスト化を図ることができ、しかも、電気回路の構成をシンプルにして製造工数を低減できるとともに不具合の起こり難い害虫防除装置とすることができる。
【図面の簡単な説明】
【００１５】
【図１】実施形態にかかる害虫防除装置の背面図である。
【図２】害虫防除装置の右側図である。
【図３】害虫防除装置の左側図である。
【図４】害虫防除装置の平面図である。
【図５】カートリッジを取り出した状態の害虫防除装置の斜視図である。
【図６】放電用抵抗素子の組付を説明するカートリッジの斜視図である。
【図７】図１におけるVII−VII線断面図である。
【図８】図１におけるVIII−VIII線断面図である。
【図９】害虫防除装置の電気回路図である。
【発明を実施するための形態】
【００１６】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００１７】
図１は、本発明の実施形態にかかるファン式害虫防除装置１を示すものである。このファン式害虫防除装置１は、図５に示すように、装置本体２と、装置本体２に着脱可能に取り付けられるカートリッジ３とを備えている。害虫防除装置１は、例えば、屋内等に置かれて使用される。
【００１８】
図７及び図８に示すように、装置本体２は、ファン１０と、ファン１０を回転駆動するモーター１１と、ファン１０及びモーター１１を収容するケーシング１２とを備えている。
【００１９】
一方、カートリッジ３は、図６に示すように、害虫防除成分を含む薬剤を保持した薬剤保持体２０と、電池２１と、放電用抵抗素子２２とを備えている。そして、モーター１１へはカートリッジ３の電池２１から電力が供給され、これによりファン１０が回転して薬剤保持体２０に送風することにより、害虫防除成分を空気中に拡散させて害虫の防除効果が得られるようになっている。詳細は後述するが、カートリッジ３の放電用抵抗素子２２によって電池２１を消耗させることで、電池２１の寿命が害虫防除成分の持続時間と対応するようになっている。
【００２０】
（装置本体の構造）
図１〜図５に示すように、装置本体２のケーシング１２は、直方体に近い形状とされており、床面等の載置面に置いたときに、上下方向に長く、正面視における幅方向（左右方向）の寸法は奥行き方向の寸法よりも長く設定されている。
【００２１】
図２や図３に示すように、ケーシング１２の後壁部１２ａは、後方へ向けて滑らかに湾曲している。また、ケーシングの前壁部１２ｂは、前方へ向けて滑らかに湾曲している。後壁部１２ａ及び前壁部１２ｂを湾曲させたことで、害虫防除装置１を見る者に柔らかな印象を与えることができるようになっている。
【００２２】
前壁部１２ｂの湾曲度合いは、後壁部１２ａの湾曲度合いよりもきつくなっている。図１に示すように、後壁部１２ａには、多数の吸気孔１５が形成されている。吸気孔１５は、空気をケーシング１２内に吸入するためのものである。この実施形態では、吸気孔１５は略円形とされ、後壁部１２ａの上下方向中間部において左右方向に５列、上下方向に５列並ぶように形成されている。図７に示すように、吸気孔１５の周壁部は、ケーシング１２内へ向けて突出しており、吸気孔１５の長さは後壁部１２ａの厚み寸法よりも長くなっている。また、吸気孔１５におけるケーシング１２外側の縁部は、外側へ向けて拡径するようなフレア形状とされている。前壁部１２ｂには、吸気孔１５や凹凸形状が無く、よって、表面は全体が滑らかな面で構成されてシンプルな形状となる。本害虫防除装置１の使用時には、前壁部１２ｂが主に見えるように置かれるので、一見、害虫防除のための装置には見えず、インテリアの装飾具の一つのように見える。
【００２３】
尚、吸気孔１５は、円形でなくてもよく、例えば楕円、長円、角孔であってもよく、また、ケーシング１２の上下に延びるスリット形状や、左右に延びるスリット形状、円を描くように延びるスリット形状、波を描くように延びるスリット形状であってもよい。また、様々な大きさの吸気孔１５を形成してもよい。さらに、吸気孔１５の数や配置は上記に限られるものではなく、任意に設定することが可能であり、例えば、１つであってもよい。
【００２４】
ケーシング１２の底壁部は略平坦に形成されている。図２や図３に示すように、ケーシング１２の右壁部１２ｃ、上壁部１２ｄ、左壁部１２ｅには、右壁部１２ｃから上壁部１２ｄ、左壁部１２ｅまで連続する凹部１６が形成されている。凹部１６は、各壁部１２ｃ〜１２ｅの前部近傍から後部近傍に亘る所定領域に形成されている。
【００２５】
凹部１６の底面には、複数のリブ１７がケーシング１２の前後方向に略等間隔に形成されている。リブ１７は、右壁部１２ｃを下側から上方へ略直線状に延びた後、上壁部１２ｄを右へ略直線状に延び、そして、左壁部１２ｅを下側へ向けて略直線状に延びている。リブ１７の突出方向先端面は、ケーシング１２の外面と略同一面上に位置している。このようにケーシング１２の右壁部１２ｃ、上壁部１２ｄ、左壁部１２ｅまで連なる複数のリブ１７を設けたことで、ケーシング１２の剛性向上だけでなく、従来の害虫防除装置にはない、意匠性の向上が図られている。
【００２６】
図２に示すように、右壁部１２ｃの凹部１６の底面には、複数の上側排気孔１８及び下側排気孔１９が形成されている。上側及び下側排気孔１８，１９は、凹部１６の底面において、前後方向に並ぶリブ１７，１７の間に開口しており、リブ１７に沿って上下方向に直線状に延びるスリット状をなしている。上側排気孔１８は、右壁部１２ｃの上部近傍から上下方向中央部近傍まで延びており、また、下側排気孔１９は、右壁部１２ｃの上側排気孔１８よりも下方に離れた部位から該右壁部１２ｃの下部近傍まで延びている。図３に示すように、左壁部１２ｅにも右壁部１２ｃと同様に上側排気孔１８及び下側排気孔１９が形成されている。
【００２７】
尚、排気孔１８，１９の形状は、吸気孔１５と同様に任意の形状にすることができるとともに、数や配置も任意に設定することができる。
【００２８】
ケーシング１２の後壁部１２ａの大部分は、蓋３０で構成されており、図５に示すように、この蓋３０を外すことで、ケーシング１２が後方へ向けて大きく開放するようになっている。蓋３０は、ケーシング１２の下端部から上部近傍に亘る大きさの平板状部材である。この蓋３０に吸気孔１５が形成されている。
【００２９】
ケーシング１２には、蓋３０を開閉方向に案内するためのレール部（図示せず）が形成されている。レール部は、ケーシング１２の上下方向に延びている。蓋３０の左右両縁部がレール部に係合して蓋３０がケーシング１２の上下方向に案内されるようになっている。
【００３０】
蓋３０の後面（表面）には、吸気孔１５よりも上方に複数の突部３４が形成されている。これら突部３４は、蓋３０の開閉を手で行う際の滑り止めとして機能するようになっている。また、図示しないが、蓋３０には、閉状態でケーシング１２の本体部分と係合する爪が形成されており、蓋３０が不意に開かないようになっている。
【００３１】
図７及び図８に示すように、ケーシング１２の内部には、その前側部分と後側部分とを仕切るように略上下に延びる隔壁４０が形成されている。ケーシング１２の内部の隔壁４０よりも後側部分は、上記カートリッジ３を収容するためのカートリッジ収容部４１とされ、また、隔壁４０よりも前側部分はファン１０やモーター１１等を収容するための送風機構収容部４２とされている。
【００３２】
カートリッジ収容部４１の後方には、吸気孔１５が位置しており、カートリッジ収容部４１は、吸気孔１５を介してケーシング１２外部と連通している。また、送風機構収容部４２の左右両側方には、上記上側及び下側排気孔１８，１９がそれぞれ位置している。従って、送風機構収容部４２は排気孔１８，１９を介してケーシング１２外部と連通している。
【００３３】
上記隔壁４０の上下方向中央部には、前後方向に貫通する貫通孔４０ａが形成されている。カートリッジ収容部４１と送風機構収容部４２とは貫通孔４０ａを介して連通している。
【００３４】
送風機構収容部４２の上下方向中央部には、モーター１１を固定するための固定板４５が設けられている。モーター１１は、その回転軸１１ａがケーシング１２の前後方向に延びる姿勢で固定板４５に固定されており、回転軸１１ａの先端部は、固定板４５よりもケーシング１２後方へ向けて突出している。
【００３５】
固定板４５の周囲には、空気流路４７が形成されており、この空気流路４７にファン１０が配置されている。ファン１０の中心部はモーター１１の回転軸１１ａの先端部に固定されている。ファン１０の回転によって空気が吸気孔１５からケーシング１２内に吸入されて、カートリッジ収容部４１及び貫通孔４０ａを通って送風機構収容部４２の空気流路４７に達し、空気流路４７から上側及び下側排気孔１８，１９を通ってケーシング１２外部に排気されるようになっている。
【００３６】
送風機構収容部４２の上部には、回路基板５０が配設されている。回路基板５０には、本害虫防除装置１の運転及び停止を切り替えるためのＯＮ／ＯＦＦスイッチ５１と、運転中にのみ点灯するランプ５２とが設けられている。
【００３７】
ケーシング１２の上壁部１２ｄには、ＯＮ／ＯＦＦスイッチ５１を操作するための操作ボタン５３が設けられている。操作ボタン５３は、図４にも示すように、ケーシング１２の左右方向略中央部に配置されている。この操作ボタン５３はケーシング１２の外部から押し操作できるように構成されている。また、操作ボタン５３は透光性を有する材料で構成されており、ランプ５２の光は操作ボタン５３を透過して外部に照射されるようになっている。
【００３８】
図５に示すように、ケーシング１２の右壁部１２ｃ内面には、右側の電気導通部を構成する右側導体５５が設けられ、また、ケーシング１２の左壁部１２ｅ内面には左側の電気導通部を構成する左側導体５６が設けられている。右側導体５５及び左側導体５６は、伝導性を有する金属材料で構成されており、カートリッジ収容部４１に臨んでいる。
【００３９】
右側導体５５は、カートリッジ３の放電用抵抗素子２２と導通するようになっている。左側導体５６は、カートリッジ３の電池２１と導通するようになっている。
【００４０】
右側導体５５及び左側導体５６は、カートリッジ３がカートリッジ収容部４１に収容されて装置本体２に装着された状態で、特別な接続作業を行うことなく、それぞれ、放電用抵抗素子２２及び電池２１と接触して導通するように位置付けられている。本害虫防除装置１の電気回路の構成については後述する。
【００４１】
（カートリッジの構造）
図６に示すように、カートリッジ３は、樹脂製の箱状の部材に、薬剤保持体２０及び電池２１を収容可能に構成されている。カートリッジ３は、装置本体２のカートリッジ収容部４１の形状に対応した大きさであり、ケーシング１２の上下方向に長く、奥行き方向の寸法が幅方向の寸法よりも短い略直方体形状とされている。
【００４２】
図７に示すように、カートリッジ３の内部における下部寄りの部分には、内部を上下に仕切るための隔壁６０が設けられている。カートリッジ３の内部における隔壁６０よりも下側の部分は、電池２１を収容するための電池収容部６１とされ、隔壁６０よりも上側の部分は、薬剤保持体２０を収容するための薬剤収容部６２とされている。薬剤収容部６２の方が電池収容部６１よりも大きい。
【００４３】
電池収容部６１には、一般の単３型や単４型の乾電池である電池２１が２本収容されるようになっている。電池２１は、カートリッジ３の左右方向に延びる姿勢で、２本が上下から見て一部が重なり、かつ、前後から見ても一部が重なるように収容されている。電池収容部６１は、蓋６３によって開閉されるようになっている。
【００４４】
また、図６に示すように、電池収容部６１の右側には、放電用抵抗素子２２を保持する抵抗素子保持部６４が形成されている。この抵抗素子保持部６４に保持される放電用抵抗素子２２は、板状をなしている。抵抗素子保持部６４は、放電用抵抗素子２２がカートリッジ３の右壁部に沿って延びるような姿勢で保持するように構成されており、電池収容部６１と同様に開放している。抵抗素子保持部６４は、電池収容部６１の蓋６３によって一緒に開閉されるようになっている。
【００４５】
カートリッジ３の右壁部には、抵抗素子保持部６４に対応する部位に、右側切欠部６５が形成されている。右側切欠部６５は、放電用抵抗素子２２の接点部２２ａを外部に露出させるためのものである。また、カートリッジ３の左壁部には、左側切欠部６６が形成されている。左側切欠部６６は、電池２１の端子を外部に露出させるためのものである。本発明のカートリッジ３側の電気導通部は、電池２１の端子と、放電用抵抗素子２２の接点部２２ａである。
【００４６】
カートリッジ３の薬剤収容部６２には、害虫防除成分を含む薬剤を保持した布で構成された薬剤保持体２０が波形に折り曲げられた状態で収容されている。薬剤は、従来から害虫防除用に用いられていて揮発性を有するものであればよく、特に限定されない。
【００４７】
図７に示すように、カートリッジ３の前壁部における薬剤収容部６２に対応する部分には、複数の貫通孔６９が形成されている。また、図６に示すように、カートリッジ３の後壁部における薬剤収容部６２に対応する部分は、グリル７０で覆われている。従って、カートリッジ３の薬剤収容部６２には前後方向に空気が流通するようになっている。
【００４８】
カートリッジ３の製造時には、薬剤保持体２０と電池２１と放電用抵抗素子２２とを本体部分に組み付けることになる。カートリッジ３の本体部分とグリル７０とは全ての種類のカートリッジ３に共通する部品である。よって、使用可能日数等が異なる複数種のカートリッジ３間で、専用設定の必要な部品点数は少なくて済み、低コストなカートリッジ３が得られる。
【００４９】
尚、カートリッジ３は使い捨てである。
【００５０】
また、カートリッジ３の構造は、上記した構造に限られるものではなく、例えば、図示しないが、薬剤保持体２０を、カートリッジ３の本体部分とは別部品のケースに収容して、このケースをカートリッジ３の本体部分に組み付けるような構造としてもよい。
【００５１】
（電気回路の構成）
図９に示すように、害虫防除装置１の電気回路は、モーター１１、ランプ５２、ランプ点灯用抵抗素子７１、ＯＮ／ＯＦＦスイッチ５１、電池２１、放電用抵抗素子２２とを備えている。これらのうち、モーター１１、ランプ５２、ランプ点灯用抵抗素子７１、ＯＮ／ＯＦＦスイッチ５１は装置本体２に設けられており、電池２１及び放電用抵抗素子２２は、カートリッジ３に設けられている。
【００５２】
２本の電池２１は直列に接続されている。また、ランプ５２及びランプ点灯用抵抗素子７１も直列に接続されている。モーター１１、ランプ５２、放電用抵抗素子２２は、電池２１に対し並列に接続されている。
【００５３】
また、放電用抵抗素子２２の接点部２２ａと、装置本体２の右側導体５５とは上記のようにカートリッジ３の着脱操作によって接続と非接続とに切り替えられ、また、電池２１の端子と、装置本体１の左側導体５６とも、同様に、接続と非接続とに切り替えられる。つまり、カートリッジ３が装着されたときにのみ、電気回路が構成される。
【００５４】
上記放電用抵抗素子２２の抵抗値は、電池２１の寿命が薬剤保持体２０に保持されている薬剤の害虫防除成分の持続時間と対応するように電池２１を消耗させるためのものである。すなわち、電池２１の寿命を害虫防除成分の持続時間と略一致させることのできる抵抗値を有する抵抗素子である。例えば、害虫防除装置１を１日８時間使用すると仮定した場合、害虫防除成分が６０日間持続するものである場合には、電池２１の寿命が、８時間×６０日＝４８０時間となるように放電用抵抗素子２２の抵抗値が設定されている。尚、放電用抵抗素子２２の抵抗値は、電池２１の本数や、電池容量等に基づいて予め算出可能であるし、実際にモーター１１を回転させて電池寿命を計測し、その結果に基づいて得ることも可能である。
【００５５】
（害虫防除装置の使用要領）
カートリッジ３は、複数種用意されるものであり、使用者が任意に選択できる。例えば、持続期間が６０日のカートリッジ（６０日用カートリッジ）３には、害虫防除成分が約６０日間持続する薬剤保持体２０が収容されるとともに、電池２１の寿命が約６０日間となるように電池２１を消耗させることのできる放電用抵抗素子２２が取り付けられる。１２０日用カートリッジであれば、害虫防除成分が約１２０日間持続する薬剤保持体２０が収容されるとともに、電池２１の寿命が約１２０日間となるように電池２１を消耗させることのできる放電用抵抗素子２２が取り付けられる。尚、電池２１の寿命と、害虫防除成分の持続時間とは完全に一致しなくてもよく、例えば、６０日用カートリッジ３において両者の差が数日程度であれば問題とならない。つまり、電池２１の寿命が害虫防除成分の持続時間と対応しているとは、両者が完全に一致している場合の他、両者の差が数日程度である場合も含む意味である。
【００５６】
カートリッジ３を装置本体２に装着する際には、まず、図５に示すように、ケーシング１２の蓋３０をケーシング１２の下方へスライドさせてカートリッジ収容部４１を開放する。その後、使用者が適宜選択したカートリッジ３をカートリッジ収容部４１に収容する。すると、カートリッジ３の電池２１の端子が装置本体２の左側導体５６に接触して導通状態となり、放電用抵抗素子２２の接点部２２ａが装置本体１の右側導体５５に接触して導通状態となる。これにより、図９に示すような電気回路が構成される。カートリッジ３の装着状態では、重量物である電池２１が害虫防除装置１の下部に位置することになるので低重心化が図られ、害虫防除装置１が安定する。
【００５７】
次いで、ケーシング１２の蓋３０を閉じた後、操作ボタン５３を押してＯＮ／ＯＦＦスイッチ５１をＯＮにすると、電池２１からモーター１１へ電力が供給されてモーター１１が作動し、ファン１０が回転する。これと同時にランプ５２が点灯し、運転中であることが使用者に報知される。
【００５８】
ファン１０が回転すると、空気が吸気孔１５からカートリッジ収容部４１に吸入されてカートリッジ３のグリル７０を通って薬剤保持体２０を通過する。このとき、害虫防除成分が揮発して空気に混入する。この空気は、カートリッジ３の貫通孔６９、ケーシング１２の隔壁４０の貫通孔４０ａ、空気流路４７を順に流れて上側及び下側排気孔１８，１９から排出される。上側及び下側排気孔１８，１９は、ケーシング１２の左右両壁部１２ｃ，１２ｅにそれぞれ形成されているので、害虫防除成分が広い範囲に拡散して害虫の防除効果が十分に得られる。
【００５９】
使用中には、放電用抵抗素子２２によっても電池２１が放電される。これにより、電池２１の寿命と害虫防除成分の持続時間とが対応するようになるので、害虫防除成分の持続時間が経過した頃、または持続時間が経過する直前に電池２１の寿命が尽きる。よって、害虫防除装置１の空運転が防止される。
【００６０】
このように、カートリッジ３に害虫防除成分の持続時間に対応した放電用抵抗素子２２を設けたことで、装置本体２には、従来例のような複数の抵抗素子やスイッチを有する選択回路を設けずに済み、モーター１１とＯＮ／ＯＦＦスイッチ５１等を接続して簡単な回路構成にでき、製造工数を低減できるとともに、不具合の発生が抑制される。さらに、複数の抵抗素子や選択回路が不要になる分、装置本体２の小型化が可能になるとともに、低コスト化が図られる。
【００６１】
電池２１の寿命が尽きたら、使用者はケーシング１２の蓋３０を開けてカートリッジ３を交換する。カートリッジ３をケーシング１２のカートリッジ収容部４１から取り出すことで、薬剤保持体２０と電池２１とを一度に取り外すことができる。また、新たなカートリッジ３を装着することで、薬剤保持体２０と電池２１とを一度に取り付けることができる。これにより、電池２１の交換忘れが無くなる。また、放電用抵抗素子２２を交換するようにしたことで、放電用抵抗素子２２の経年劣化による故障も無くなる。
【００６２】
また、使用済みカートリッジ３の蓋６３を外すことで電池２１及び放電用抵抗素子２２を取り出すことができるので、分別廃棄が容易に行える。
【００６３】
以上説明したように、この実施形態にかかる害虫防除装置１によれば、薬剤保持体２０を有するカートリッジ３に、電池２１の寿命が害虫防除成分の持続時間と対応するように該電池２１を消耗させるための放電用抵抗素子２２を設けたので、複数の抵抗素子やスイッチを有する選択回路を設けることなく、電池２１の寿命を薬剤保持体２０の持続時間に対応した寿命とすることができる。これにより、害虫防除装置１を全体的にコンパクトにできるとともに低コスト化を図ることができ、しかも、電気回路の構成をシンプルにして製造工数を低減できるとともに不具合の起こり難い害虫防除装置１とすることができる。
【００６４】
また、カートリッジ３に電池収容部６１を設けて薬剤保持体２０と電池２１とを同時に交換するようにしたので、電池２１の取り替え忘れを無くすことができ、必要なときに害虫防除能力を確実に発揮させることができる。
【００６５】
また、カートリッジ３に、薬剤保持体２０が収容される薬剤収容部６２と、放電用抵抗素子２２を保持する抵抗素子保持部６４とを設け、薬剤保持体２０及び放電用抵抗素子２２を組み付けることができるようにしたので、薬剤保持体２０と放電用抵抗素子２２とをセットにして容易に組み付けることができ、個々のカートリッジ３の製造を容易に行うことができる。
【００６６】
また、カートリッジ３を装着するだけで電気回路を構成することができるので、カートリッジ３の交換作業時に配線の接続作業等を別途に行わずに済み、交換作業性を良好にできる。
【００６７】
尚、上記実施形態では、電池２１をカートリッジ３に収容するにしたが、これに限らず、装置本体１に電池収容部を設け、電池２１を装置本体２に収容するようにしてもよい。また、電池２１の本数は２本に限られるものではない。
【産業上の利用可能性】
【００６８】
以上説明したように、本発明にかかる害虫防除装置は、例えば、一般家庭等で用いるのに適している。
【符号の説明】
【００６９】
１          害虫防除装置
２          装置本体
３          カートリッジ
１０        ファン
１１        モーター
２０        薬剤保持体
２１        電池
２２        放電用抵抗素子
２２ａ      接点部（カートリッジ側の電気導通部）
５５        右側導体（装置本体側の電気導通部）
５６        左側導体（装置本体側の電気導通部）
６１        電池収容部
６２        薬剤収容部
６４        抵抗素子保持部
【図１】
2014195466.tif 000003
【図２】
2014195466.tif 000004
【図３】
2014195466.tif 000005
【図４】
2014195466.tif 000006
【図５】
2014195466.tif 000007
【図６】
2014195466.tif 000008
【図７】
2014195466.tif 000009
【図８】
2014195466.tif 000010
【図９】
2014195466.tif 000011